(57)【要約】【課題】  医療装置によって測定されたデータを管理する向上した機能をユーザに提供する。【解決手段】  ユーザは、測定されたデータのカスタマイズされた図形表示を作成し、図形表示を更新し、格納することができる。さらに、本発明の実施形態は、複数の健康管理の専門家でデータを共有することができる能力を提供し、複数の患者の複数の報告書を印刷することができる機能を含む。さらに、対話式表示によって、１つの表示形式のデータを別の表示形式で表示することができる。最後に、本発明の実施形態は、本発明の重要な特徴のチュートリアルを提供する能力を有する。【選択図】  図２
2005025747.tif 000002
【特許請求の範囲】
【請求項１】
表示するために複数の図形表示グラフタイプから少なくとも１つの図形データグラフタイプを選択するステップと、
単一の可視表示内の複数の図形データ配置場所から前記少なくとも１つの選択された図形データグラフタイプの少なくとも１つの配置場所を選択するステップと、
医療装置から医療データをダウンロードするステップと、
前記選択された少なくとも１つの図形表示グラフタイプで提示された前記医療データを前記単一の可視表示内の前記少なくとも１つの選択された配置場所に表示するステップと
を備えることを特徴とする医療データの提示を管理する方法。
【請求項２】
各図形データグラフタイプの機能は、前記単一の可視表示内の前記図形データグラフの前記配置場所に関係なく同じであることを特徴とする請求項１に記載の医療データの提示を管理する方法。
【請求項３】
将来使用するために前記単一の可視表示内の前記少なくとも１つの選択された配置場所に前記選択された少なくとも１つの図形表示グラフタイプで提示された前記医療データのビューを格納するステップ
をさらに備えることを特徴とする請求項１に記載の医療データの提示を管理する方法。
【請求項４】
表示するために複数の図形表示グラフタイプから少なくとも１つの図形データグラフタイプを選択するステップと、
少なくとも１つの単一の可視表示内の複数の図形データ配置場所から前記少なくとも１つの選択された図形データグラフタイプの場所を選択するステップと、
複数の医療装置のうちの少なくとも１つから医療データをダウンロードするステップと、
複数の医療装置のうちの前記少なくとも１つから前記ダウンロードされた医療データを印刷するステップであって、前記ダウンロードされた医療データは前記少なくとも１つの単一の可視表示内に前記少なくとも１つの図形表示グラフで提示されるステップと
を備えることを特徴とする医療データの提示を管理する方法。
【請求項５】
前記印刷するステップは、
前記単一の可視表示内の前記少なくとも１つの選択された配置場所に前記選択された少なくとも１つの図形表示グラフタイプで提示された前記医療データを格納装置内に格納するステップと、
前記記憶装置を含むコンピュータに一度のマウスクリックで合図して、医療装置からダウンロードされたデータを受信し、前記新しいデータを前記格納するステップで格納された前記図形表示グラフタイプに入れるステップと、
前記ダウンロードされたデータを含む前記少なくとも１つの単一の可視表示を印刷するステップとを含む
ことを特徴とする請求項４に記載の医療データの提示を管理する方法。
【請求項６】
少なくとも１つの単一可視表示は、３つのデフォルトの単一可視表示のグループまたは複数のユーザ定義単一可視表示から選択することができる
ことを特徴とする請求項４に記載の方法。
【請求項７】
表示するために複数の図形表示グラフタイプから少なくとも１つの図形データグラフタイプを選択するステップと、
単一の可視表示内の複数の図形データ配置場所から前記少なくとも１つの選択された図形データグラフタイプの場所を選択するステップと、
複数の医療装置からの少なくとも１つの医療装置を特定のユーザに割り当てるステップと、
医療データを複数の医療装置のうちの前記少なくとも１つからダウンロードするステップと、
複数の医療装置のうちの前記少なくとも１つからの前記医療データを前記単一可視表示内に前記少なくとも１つの図形表示グラフタイプで表示するステップと
を備えることを特徴とする医療データの提示を管理する方法。
【請求項８】
前記割り当てるステップでなされた割り当てを取り消すステップ
をさらに備えることを特徴とする請求項７に記載の医療データの提示を管理する方法。
【請求項９】
複数のユーザのうちの少なくとも１人の測定された医療データを表す複数の図形表示グラフタイプから少なくとも１つの図形データグラフタイプを選択するステップと、
図形表示グラフタイプを構成し保存する複数のユーザのうちの少なくとも１人を選択するステップと、
前記複数のユーザの選択されたユーザごとに前記少なくとも１つの選択された図形表示グラフタイプを印刷するステップと
を備えることを特徴とする医療データの提示を管理する方法。
【請求項１０】
複数のタイプの医療データを表す複数の図形グラフを示す単一の表示を選択するステップを備え、
前記単一の表示の第１の図形表示グラフは、前記複数のタイプの医療データのうちの１つの所定の期間の平均、最小、最大、および標準偏差を示し、前記複数の医療データのうちの前記１つは医療装置によって測定され、
前記単一表示の第２の図形表示グラフは、前記医療装置のユーザに投与された最低投与量、最高投与量、平均投与量、および薬物のタイプを示し、
さらに前記第１および第２の図形表示グラフは、前記単一表示内に上下に提示される
ことを特徴とする請求項９に記載の医療データの提示を管理する方法。
【請求項１１】
ディスプレイ上の第１の図形グラフに第１の所定の期間から医療データを提示するステップと、
前記ディスプレイ上に、表示された図形表示で第２の所定の期間を示すステップと、
前記第２の所定の期間内の前記データから第２の図形表示を作成するステップと
を備えることを特徴とする医療データの提示を管理する方法。
【請求項１２】
ディスプレイ上の前記第１の図形グラフ上に前記第２の図形表示を重ねるステップ
をさらに備えることを特徴とする請求項１１に記載の医療データの提示を管理する方法。
【請求項１３】
前記第２の所定の期間は前記第１の所定の期間より短い
ことを特徴とする請求項１１に記載の医療データの提示を管理する方法。
【請求項１４】
前記第２の図形グラフは前記第１の図形グラフと異なる
ことを特徴とする請求項１１に記載の医療データの提示を管理する方法。
【請求項１５】
前記表示された図形表現は横棒である
ことを特徴とする請求項１１に記載の医療データの提示を管理する方法。
【請求項１６】
データベース内の複数の患者から少なくとも１人の患者を選択するステップと、
各患者に対応する前記医療データの複数の図形グラフから少なくとも１つの所定の図形グラフを印刷する印刷オプションを選択するステップであって、前記少なくとも１つの所定の図形グラフは、ヒストグラムグラフ、棒グラフ、点グラフ、標準偏差グラフ、標準日グラフ、および円グラフから成る図形グラフのグループから選択されるステップと、
前記選択するステップ以外の他のユーザ入力なしに前記選択された患者の前記所定の図形グラフを印刷するステップと
を備えることを特徴とする医療データの提示を管理する方法。
【請求項１７】
前記選択するステップでの少なくとも１人の患者は、前記データベース内の前記患者の最高全員までの任意の数の患者である
ことを特徴とする請求項１６に記載の医療データの提示を管理する方法。
【請求項１８】
前記少なくとも１つの所定の図形グラフは、使用可能な前記図形グラフのすべてを含む
ことを特徴とする請求項１６に記載の医療データの提示を管理する方法。
【請求項１９】
前記選択するステップは、
ソフトウェアプログラムへの単一の入力を作動させて前記印刷するステップを開始するステップをさらに含む
ことを特徴とする請求項１６に記載の医療データの提示を管理する方法。
【請求項２０】
表示するために複数の図形表示グラフタイプから少なくとも１つの図形データグラフタイプを選択する手段と、
単一の可視表示内の複数の図形データ配置場所から前記少なくとも１つの選択された図形データグラフタイプの少なくとも１つの配置場所を選択する手段と、
医療装置から医療データをダウンロードする手段と、
前記選択された少なくとも１つの図形表示グラフタイプで提示された前記医療データを前記単一の可視表示内の前記少なくとも１つの選択された配置場所に表示する手段と
を備えたことを特徴とする医療データを提示する装置。
【請求項２１】
各図形データグラフタイプの機能は、前記単一の可視表示内の前記図形データグラフの前記配置場所に関係なく同じである
ことを特徴とする請求項２０に記載の装置。
【請求項２２】
将来使用するために前記単一の可視表示内の前記少なくとも１つの選択された配置場所に前記選択された少なくとも１つの図形表示グラフタイプで提示された前記医療データのビューを格納する手段
をさらに備えたことを特徴とする請求項２０に記載の装置。
【請求項２３】
表示するために複数の図形表示グラフタイプから少なくとも１つの図形データグラフタイプを選択する手段と、
少なくとも１つの単一の可視表示内の複数の図形データ配置場所から前記少なくとも１つの選択された図形データグラフタイプの場所を選択する手段と、
医療データを複数の医療装置のうちの少なくとも１つからダウンロードする手段と、
複数の医療装置のうちの前記少なくとも１つから前記ダウンロードされた医療データを印刷する手段であって、前記ダウンロードされた医療データは前記少なくとも１つの単一の可視表示内に前記少なくとも１つの図形表示グラフで提示される手段と
を備えたことを特徴とする医療データを提示する装置。
【請求項２４】
前記単一の可視表示内の前記少なくとも１つの選択された配置場所に前記選択された少なくとも１つの図形表示グラフタイプで提示された前記医療データを格納装置内に格納する手段と、
前記記憶装置を含むコンピュータに一度のマウスクリックで合図して、医療装置からダウンロードされたデータを受信し、前記新しいデータを前記格納する手段で格納された前記図形表示グラフタイプに入れる手段と、
前記ダウンロードされたデータを含む前記少なくとも１つの単一の可視表示を印刷する手段と
をさらに備えたことを特徴とする請求項２３に記載の装置。
【請求項２５】
少なくとも１つの単一可視表示を、３つのデフォルトの単一可視表示のグループまたは複数のユーザ定義単一可視表示から選択する手段
をさらに備えたことを特徴とする請求項２３に記載の装置。
【請求項２６】
表示するために複数の図形表示グラフタイプから少なくとも１つの図形データグラフタイプを選択する手段と、
単一の可視表示内の複数の図形データ配置場所から前記少なくとも１つの選択された図形データグラフタイプの場所を選択する手段と、
複数の医療装置からの少なくとも１つの医療装置を特定のユーザに割り当てる手段と、
医療データを複数の医療装置のうちの前記少なくとも１つからダウンロードする手段と、
複数の医療装置のうちの前記少なくとも１つからの前記医療データを前記単一可視表示内に前記少なくとも１つの図形表示グラフタイプで表示する手段と
を備えたことを特徴とする医療データを提示する装置。
【請求項２７】
前記割り当てる手段は、複数の医療装置からの少なくとも１つの医療装置の特定のユーザへの割り当てを取り消すように構成されている
ことを特徴とする請求項２６に記載の装置。
【請求項２８】
複数のユーザのうちの少なくとも１人の測定された医療データを表す複数の図形表示グラフタイプから少なくとも１つの図形データグラフタイプを選択する手段と、
図形表示グラフタイプを構成し保存する複数のユーザのうちの少なくとも１人を選択する手段と、
前記複数のユーザの選択されたユーザごとに前記少なくとも１つの選択された図形表示グラフタイプを印刷する手段と
を備えたことを特徴とする医療データを提示する装置。
【請求項２９】
前記選択する手段は、複数のタイプの医療データを表す複数の図形グラフを示す単一の表示を選択するように構成され、
前記単一の表示の第１の図形表示グラフは、前記複数のタイプの医療データのうちの１つの所定の期間の平均、最小、最大、および標準偏差を示し、前記複数の医療データのうちの前記１つは医療装置によって測定され、
前記単一表示の第２の図形表示グラフは、前記医療装置のユーザに投与された最低投与量、最高投与量、平均投与量、および薬物のタイプを示し、
前記第１および第２の図形表示グラフは、前記単一表示内に上下に提示される
ことを特徴とする請求項２８に記載の装置。
【請求項３０】
ディスプレイ上の第１の図形グラフに第１の所定の期間から医療データを提示する手段と、
前記ディスプレイ上に、表示された図形表示で第２の所定の期間を示す手段と、
前記第２の所定の期間内の前記データから第２の図形表示を作成する手段と
を備えたことを特徴とする医療データを提示する装置。
【請求項３１】
ディスプレイ上の前記第１の図形グラフ上に前記第２の図形表示を重ねる手段
をさらに備えたことを特徴とする請求項３０に記載の装置。
【請求項３２】
前記第２の所定の期間は前記第１の所定の期間より短い
ことを特徴とする請求項３０に記載の装置。
【請求項３３】
前記第２の図形グラフは前記第１の図形グラフと異なる
ことを特徴とする請求項３０に記載の装置。
【請求項３４】
前記表示された図形表現は横棒を含む
ことを特徴とする請求項３０に記載の装置。
【請求項３５】
データベース内の複数の患者から少なくとも１人の患者を選択する手段と、
各患者に対応する前記医療データの複数の図形グラフから少なくとも１つの所定の図形グラフを印刷する印刷オプションを選択する手段であって、前記少なくとも１つの所定の図形グラフは、ヒストグラムグラフ、棒グラフ、点グラフ、標準偏差グラフ、標準日グラフ、および円グラフから成る図形グラフのグループから選択される手段と、
前記選択するステップ以外の他のユーザ入力なしに前記選択された患者の前記所定の図形グラフを印刷する手段と、
を備えたことを特徴とする医療データを提示する装置。
【請求項３６】
前記選択する手段によって選択された少なくとも１人の患者は、前記データベース内の前記患者の最高全員までの任意の数の患者とすることができる
ことを特徴とする請求項３５に記載の装置。
【請求項３７】
前記少なくとも１つの所定の図形グラフは、使用可能な前記図形グラフのすべてを含む
ことを特徴とする請求項３５に記載の装置。
【請求項３８】
前記選択する手段は、
ソフトウェアプログラムへの単一の入力を作動させて前記印刷するステップを開始する手段をさらに含む
ことを特徴とする請求項３５に記載の装置。
【請求項３９】
表示するために複数の図形表示グラフタイプから少なくとも１つの図形データグラフタイプを選択するステップと、
単一の可視表示内の複数の図形データ配置場所から前記少なくとも１つの選択された図形データグラフタイプの少なくとも１つの配置場所を選択するステップと、
医療装置から医療データをダウンロードするステップと、
前記選択された少なくとも１つの図形表示グラフタイプで提示された前記医療データを前記単一の可視表示内の前記少なくとも１つの選択された配置場所に表示するステップと
を備えることを特徴とする医療データの提示を管理する方法を実行するように構成されたコンピュータ実行可能命令を有するコンピュータ読み取り可能な記録媒体。
【請求項４０】
各図形データグラフタイプの機能は、前記単一の可視表示内の前記図形データグラフの前記配置場所に関係なく同じである
ことを特徴とする請求項３９に記載の医療データの提示を管理する方法を実行するように構成されたコンピュータ実行可能命令を有するコンピュータ読み取り可能な記録媒体。
【請求項４１】
将来使用するために前記単一の可視表示内の前記少なくとも１つの選択された配置場所に前記選択された少なくとも１つの図形表示グラフタイプで提示された前記医療データのビューを格納するステップ
をさらに備えることを特徴とする請求項３９に記載の医療データの提示を管理する方法を実行するように構成されたコンピュータ実行可能命令を有するコンピュータ読み取り可能な記録媒体。
【請求項４２】
表示するために複数の図形表示グラフタイプから少なくとも１つの図形データグラフタイプを選択するステップと、
少なくとも１つの単一の可視表示内の複数の図形データ配置場所から前記少なくとも１つの選択された図形データグラフタイプの場所を選択するステップと、
医療データを複数の医療装置のうちの少なくとも１つからダウンロードするステップと、
複数の医療装置のうちの前記少なくとも１つから前記ダウンロードされた医療データを印刷するステップであって、前記ダウンロードされた医療データは前記少なくとも１つの単一の可視表示内に前記少なくとも１つの図形表示グラフで提示されるステップと
を備えることを特徴とする医療データの提示を管理する方法を実行するように構成されたコンピュータ実行可能命令を有するコンピュータ読み取り可能な記録媒体。
【請求項４３】
前記印刷するステップは、
前記単一の可視表示内の前記少なくとも１つの選択された配置場所に前記選択された少なくとも１つの図形表示グラフタイプで提示された前記医療データを格納装置内に格納するステップと
前記記憶装置を含むコンピュータに一度のマウスクリックで合図して、医療装置からダウンロードされたデータを受信し、前記新しいデータを前記格納するステップで格納された前記図形表示グラフタイプに入れるステップと、
前記ダウンロードされたデータを含む前記少なくとも１つの単一の可視表示を印刷するステップとをさらに含む
ことを特徴とする請求項４２に記載の医療データの提示を管理する方法を実行するように構成されたコンピュータ実行可能命令を有するコンピュータ読み取り可能な記録媒体。
【請求項４４】
少なくとも１つの単一可視表示は、３つのデフォルトの単一可視表示のグループまたは複数のユーザ定義単一可視表示から選択される
ことを特徴とする請求項４２に記載の方法を実行するように構成されたコンピュータ実行可能命令を有するコンピュータ読み取り可能な記録媒体。
【請求項４５】
表示するために複数の図形表示グラフタイプから少なくとも１つの図形データグラフタイプを選択するステップと、
単一の可視表示内の複数の図形データ配置場所から前記少なくとも１つの選択された図形データグラフタイプの場所を選択するステップと、
複数の医療装置からの少なくとも１つの医療装置を特定のユーザに割り当てるステップと、
医療データを複数の医療装置のうちの前記少なくとも１つからダウンロードするステップと、
複数の医療装置のうちの前記少なくとも１つからの前記医療データを前記単一可視表示内に前記少なくとも１つの図形表示グラフタイプで表示するステップと
を備えることを特徴とする医療データの提示を管理する方法を実行するように構成されたコンピュータ実行可能命令を有するコンピュータ読み取り可能な記録媒体。
【請求項４６】
前記割り当てるステップでなされた割り当てを取り消すステップ
をさらに備えることを特徴とする請求項４５に記載の医療データの提示を管理する方法を実行するように構成されたコンピュータ実行可能命令を有するコンピュータ読み取り可能な記録媒体。
【請求項４７】
複数のユーザのうちの少なくとも１人の測定された医療データを表す複数の図形表示グラフタイプから少なくとも１つの図形データグラフタイプを選択するステップと、
図形表示グラフタイプを構成し保存する複数のユーザのうちの少なくとも１人を選択するステップと、
前記複数のユーザの選択されたユーザごとに前記少なくとも１つの選択された図形表示グラフタイプを印刷するステップと
を備えることを特徴とする医療データの提示を管理する方法を実行するように構成されたコンピュータ実行可能命令を有するコンピュータ読み取り可能な記録媒体。
【請求項４８】
複数のタイプの医療データを表す複数の図形グラフを示す単一の表示を選択するステップを備え、
前記単一の表示の第１の図形表示グラフは、前記複数のタイプの医療データのうちの１つの所定の期間の平均、最小、最大、および標準偏差を示し、前記複数の医療データのうちの前記１つは医療装置によって測定されており、
前記単一表示の第２の図形表示グラフは、前記医療装置のユーザに投与された最低投与量、最高投与量、平均投与量、および薬物のタイプを示し、
さらに前記第１および第２の図形表示グラフは、前記単一表示内に上下に提示される
ことを特徴とする請求項４７に記載の医療データの提示を管理する方法を実行するように構成されたコンピュータ実行可能命令を有するコンピュータ読み取り可能な記録媒体。
【請求項４９】
ディスプレイ上の第１の図形グラフに第１の所定の期間から医療データを提示するステップと、
前記ディスプレイ上に、表示された図形表示で第２の所定の期間を示すステップと、
前記第２の所定の期間内の前記データから第２の図形表示を作成するステップと
を備えることを特徴とする医療データの提示を管理する方法を実行するように構成されたコンピュータ実行可能命令を有するコンピュータ読み取り可能な記録媒体。
【請求項５０】
ディスプレイ上の前記第１の図形グラフ上に前記第２の図形表示を重ねるステップ
をさらに備えることを特徴とする請求項４９に記載の医療データの提示を管理する方法を実行するように構成されたコンピュータ実行可能命令を有するコンピュータ読み取り可能な記録媒体。
【請求項５１】
前記第２の所定の期間は前記第１の所定の期間より短い
ことを特徴とする請求項４９に記載の医療データの提示を管理する方法を実行するように構成されたコンピュータ実行可能命令を有するコンピュータ読み取り可能な記録媒体。
【請求項５２】
前記第２の図形グラフは前記第１の図形グラフと異なること
を特徴とする請求項４９に記載の医療データの提示を管理する方法を実行するように構成されたコンピュータ実行可能命令を有するコンピュータ読み取り可能な記録媒体。
【請求項５３】
前記表示された図形表現は横棒を含む
ことを特徴とする請求項４９に記載の医療データの提示を管理する方法を実行するように構成されたコンピュータ実行可能命令を有するコンピュータ読み取り可能な記録媒体。
【請求項５４】
データベース内の複数の患者から少なくとも１人の患者を選択するステップと、
各患者に対応する前記医療データの複数の図形グラフから少なくとも１つの所定の図形グラフを印刷する印刷オプションを選択するステップであって、前記少なくとも１つの所定の図形グラフは、ヒストグラムグラフ、棒グラフ、点グラフ、標準偏差グラフ、標準日グラフ、および円グラフから成る図形グラフのグループから選択されるステップと、
前記選択するステップ以外の他のユーザ入力なしに前記選択された患者の前記所定の図形グラフを印刷するステップと、
を備えることを特徴とする医療データの提示を管理する方法を実行するように構成されたコンピュータ実行可能命令を有するコンピュータ読み取り可能な記録媒体。
【請求項５５】
前記選択するステップでの少なくとも１人の患者は、前記データベース内の前記患者の最高全員までの任意の数の患者である
ことを特徴とする請求項５４に記載の医療データの提示を管理する方法を実行するように構成されたコンピュータ実行可能命令を有するコンピュータ読み取り可能な記録媒体。
【請求項５６】
前記少なくとも１つの所定の図形グラフは、使用可能な前記図形グラフのうちの１つからすべてまでの間の図形グラフの数である
ことを特徴とする請求項５４に記載の医療データの提示を管理する方法を実行するように構成されたコンピュータ実行可能命令を有するコンピュータ読み取り可能な記録媒体。
【請求項５７】
前記選択するステップは
ソフトウェアプログラムへの単一の入力を作動させて前記印刷するステップを開始するステップをさらに含む
ことを特徴とする請求項５４に記載の医療データの提示を管理する方法を実行するように構成されたコンピュータ実行可能命令を有するコンピュータ読み取り可能な記録媒体。
【発明の詳細な説明】
【技術分野】
【０００１】
本発明は、医療データの管理、および表示に関する。より詳細には、本発明は、ユーザが医療装置によって監視された健康状態を管理することができるように、医療装置からデータを受信し、そのデータを管理し、表示する基本装置に関する。本発明の好適な医療装置は、血糖値モニタである。
【背景技術】
【０００２】
血糖値モニタなどの健康状態を監視する装置は、大量のデータを収集し、保存する。これらの医療装置によって格納され、収集されたデータは、いくつかの理由のために収集された患者のデータの分析に使用することができる。分析によって、患者の状態の変化に伴う動向情報、異なる薬や投薬量に対する患者の反応、およびさらに分析を行うためにアルゴリズムに入れる必要のある生データの提供が可能になる。データを患者、または患者の健康管理プロバイダに対して表示して解釈を行うこともできる。図による解釈によって、閲覧者は動向および他のより複雑なデータをより良く分析することができる。
【０００３】
ユーザに様々な形式で図形情報を提示することができる。糖尿病に関連するデータを表示する際に、例えば図形形式は、通常、標準日形式で表示される。標準日形式は、モデル日または平均日とも呼ばれ、糖尿病患者の１日の血糖測定値を提示する。さらに、表示装置は、１日に投与する投薬量、およびインシュリンのタイプを提示することもできる。図形データを数字グラフ形式、棒グラフ形式、円グラフ形式、折れ線グラフ形式などで提示することもできる。
【０００４】
しかし、一般にユーザは、医療装置ベンダーまたはサードパーティのソフトウェアベンダーによって選択されたグラフ形式しか使用できない場合がある。各プロバイダは、異なる方法でデータを提示するため、これによって、健康管理プロバイダが各患者のデータを解釈するのが難しくなる。というのは、各患者は、異なるベンダーの装置またはソフトウェアを使用していたり、さらには異なる装置を、その装置のベンダーとは異なるソフトウェアとともに使用していたりする可能性があるからである。さらに、健康管理の専門家も患者も、各自が選択したように図形表示をカスタマイズすることができない可能性がある。
【０００５】
現在、ユーザが情報を基本装置にダウンロードし、データを図示することができるシステムが数多く存在する。しかし、これらのシステムの機能は不足している。システムは、データをその特定のユーザがより良く理解できる図形形式にするためのユーザによる構成自由度に欠けている。現在のシステムは、ユーザが設定を変更し、単一のディスプレイに複数の図形形式でデータを表示できる能力に欠けている。さらに、現在のシステムでは、健康管理の専門家や患者などのユーザは、ボタンを一度押しただけでは複数の報告書を生成することができない。あるいは現在のシステムには患者間で医療装置を簡単に割り当て直す能力がない。
【０００６】
健康管理プロバイダがその患者全員にあわせて標準の図形表示形式をカスタマイズすると、従来技術では、患者ごとの各報告書を個々に印刷する必要がある。従来技術では、大規模な一括印刷機能を使用できず、その結果、健康管理プロバイダにとっては作成時間が長くなるとともに、エラーが生じる機会も増える。また、患者は、ソフトウェアアプリケーションとの最低限の対話で、複数のグラフの図形表示を印刷することはできない。また、従来技術では、ダウンロードされた新しいデータに関する報告書を迅速に印刷することができる能力は、ユーザに提供されない。
【０００７】
また、従来技術では、患者から別の患者へモニタを割り当て直すことが非常に難しい。一般に、健康管理の専門家または患者は、患者の個人データを入力して、医療装置の名前またはシリアル番号を患者に割り当てなければならない。データを医療装置からダウンロードするときに、どんな理由にせよ、このデータが誤って入力された場合、このデータを、以前入力されたその患者のデータに追加することはできない。これは、データベースファイルが最初に割り当てられた医療機器からの特定の患者のデータのみを受け付けるために起こる。ソフトウェアアプリケーションは、他の測定器からのデータを混合することができない。これは、患者が異なる医療装置を使用して健康状態を追跡しているとき、またはユーザが別の理由のために医療装置を切り換えたときに問題となり得る。こうしたシナリオでは、前の医療装置からの過去のデータを活用することなく新しいデータを分析する必要がある。
【０００８】
血糖値の監視の場合、従来のソフトウェアアプリケーションの中には、標準日グラフ形式で血糖値およびインシュリンデータの表示を提供するものはあるが、単一のディスプレイに２つの標準日グラフの組み合わせを提供するものはない。従来技術では、血糖値の平均、範囲、標準偏差、および個々の血糖値の表示の間での切り替え、および動的に生成されるインシュリンラベルの凡例付きとの間での切り替えを行う能力は提供されない。
【０００９】
また、従来技術は、別のグラフ形式を表示しながら異なるグラフ形式を簡単に表示できる能力に欠けている。従来技術では、ユーザとソフトウェアアプリケーションとの間の最低限の対話で、ある図形表示形式の情報を別の図形表示形式に迅速に変換する能力は提供されない。例えば、従来技術では、標準日表示を表示し、標準日表示に重ね合わせて円グラフを表示する能力は提供されない。
【００１０】
最後に、従来技術では、ソフトウェアアプリケーションのユーザがチュートリアルでステップを表示し、次いで同じステップをソフトウェアアプリケーションで行うことができる対話式チュートリアルは提供されない。従来技術では、ユーザに、ソフトウェアアプリケーションに関する最低限のチュートリアルは提供される。既存の医療装置ダウンロードソフトウェアは、ソフトウェアの使用、および装置の接続方法に関連する対話式チュートリアルを提供しない。血糖値モニタに関連するソフトウェア機能の重要性および価値は、カスタマイズされた図形表示レイアウトの作成専用の対話式チュートリアルに値する。
【発明の開示】
【発明が解決しようとする課題】
【００１１】
健康管理プロバイダがその患者全員の図形データ表現をカスタマイズ可能な単一の形式に書式設定することができれば有益となる。さらに、一度ボタンを押すかマウスをクリックすることにより複数の患者の複数の報告書を印刷する選択肢を健康管理の専門家に提供する一括印刷機能をソフトウェアアプリケーションが備えていれば便利である。提供されたデータ、および健康状態に与える治療の影響をより良く理解できるように、患者が自分自身の表示を構成することができるとさらに便利であることがわかる。
【００１２】
本発明は、このような状況に鑑みてなされたもので、その目的とするところは、医療装置によって測定されたデータを管理する向上した機能を有する、医療装置から受信したデータを管理する方法および装置を提供することにある。
【課題を解決するための手段】
【００１３】
本発明の実施形態によって、ユーザは、ユーザが図形表示を最も有益なレイアウトにカスタマイズできるセルフケアページ（ＳＣＰ）と呼ばれるカスタマイズされた表示を作成することができる。さらに、治療がどの程度進んでいるかをより良く説明するために、患者にとって最も読み取りやすく、理解しやすく、使用しやすいように、患者がグラフでＳＣＰをカスタマイズすることができる。
【００１４】
図形表示は、理解しやすい形式で現在のデータを書式設定する。血糖値の監視の場合、本発明の実施形態の標準日血糖値および標準日インシュリン表示が直接対応する。健康管理の専門家または患者（以下ユーザと呼ぶ）が同じディスプレイに両方のデータセットを表示することができるのが利点である。また、血糖値およびインシュリンの測定値のデータに関する追加情報が多すぎたり、過度にわずらわしく見えたりすることなく、最も多い情報を提供する図形形式で提示されることも利点である。
【００１５】
血糖値またはインシュリンの標準日グラフは、患者が最も解釈し難しいグラフである。逆に、円グラフ表示形式は、患者がより解釈しやしいように思われる。本発明によってユーザは、標準日グラフ内から時間枠を選択し、その時間枠のデータを円グラフとして表示することができる。このことは、別の形式でデータを提供することによって患者がデータを解釈するのを助ける。さらに、患者は、データを比較するために標準日グラフから円グラフとして表示する別の時間枠を容易に選択することができる。
【００１６】
医療装置の割り当てをあるユーザから容易に変更する、または別の医療装置を単一のユーザに追加できるユーザの能力は、本発明の実施形態の利点である。この機能によって、複数の測定器からのデータを単一のユーザデータベースファイルに混合できるようになり、それによって図形表示はいくつかの医療装置からの健康状態測定データを統合して、過去のデータに基づいてユーザの健康状態をより良く見通せるようになる。
【００１７】
本発明の実施形態の一括印刷機能によって、患者および健康管理の専門家の両方のユーザは、ボタンを一度押すだけで複数の報告書を迅速に印刷することができる。これによって時間が節約され、ユーザは、常に同じ報告書を取得して特定の期間を分析できるようになる。健康管理の専門家は、複数の患者の報告書を印刷することができ、また患者は、使用可能な報告書の一部またはすべてを印刷することができるようになる。これによって患者は、特定の期間、好ましくは最近の２週間の報告書を印刷して、分析用に各自の健康管理の専門家に提供することができる。
【００１８】
最後に、本発明の実施形態の対話式チュートリアルによって、ユーザは、各自のセルフケアページを作成する方法、および９ピンシリアルコネクタまたはユニバーサルシリアルバス（ＵＳＢ）コネクタまたはその両方を備えるデータ転送ケーブルを使用して医療装置を基本装置に接続する方法を習うことができる。
【００１９】
上記および他の利点は、以下の説明を添付の図面との関連で考慮するとより明らかになる。
【発明を実施するための最良の形態】
【００２０】
以下、図面を参照して本発明を適用できる実施形態を詳細に説明する。本発明は、添付の図面で示したその実施形態を参照するとより良く理解できよう。図中、同様の番号は同様の機能および構造を指すことを理解されたい。
【００２１】
本発明の様々な実施形態を、好適な医療装置として血糖値測定器との関連で説明する。
【００２２】
図１は、本発明の一実施形態を実装するシステムの構成例である。システムは、基本装置２０、この場合パーソナルコンピュータ（ＰＣ）、電子機器１２付きデータ転送ケーブル１０、および血糖値モニタなどの医療装置３０を含む。説明上、好適な医療装置３０は、血糖値測定器であり、説明するデータは、一般に糖尿病の治療に関連する。しかし、本発明は、血糖値測定器のみから、糖尿病の治療のためにデータを受信することに限定されるものではない。
【００２３】
ＰＣ２０は、血糖値測定器３０から分析用の血糖値測定データをダウンロードし、健康管理の専門家および患者に対して表示する。患者は、その血糖値が計測され、血糖値測定器３０に格納された人物である。患者および健康管理の専門家は、測定されたデータを表示し、分析して、インシュリン治療法の影響を確認する。すべてのユーザ、つまり健康管理の専門家も患者も、固定された数表より図形表現の解釈の方が容易である。図２を参照すると、図形表現（２１０、２２０、および２３０）によって、パターンまたは動向もより容易に識別できるようになる。理解しやすい図形表現を簡単に作成できるように、本発明の一実施形態では、ユーザが容易に理解できる図にデータを構成する能力がユーザに提供される。本発明の実施形態は、これらの図の作成をユーザに教えるなじみのあるＷｅｂブラウザインタフェースで実施されることが好ましい。図２のデフォルトのセルフケアページ（ＳＣＰ）２００では、患者の名前はサンプル、患者（２４０）である。サンプルのＳＣＰ２００には、血糖読み取り値の円グラフ２１０、実際の血糖測定値のｍｇ／ｄｌ単位でのヒストグラム２２０、および最近の２週間の血糖読み取り値の傾向グラフ２３０がある。
【００２４】
ＳＣＰ２００は、９つのグラフの選択肢から最高３つまでの異なるグラフを１つの画面に表示するための手段を提供する、ユーザが構成可能なデータの図である。ユーザは、必要なだけのＳＣＰ２００を作成することができる。各セルフケアページ２００の作成は、プロセスにおける各ステップでユーザに入力を求め、図およびテキストのフィードバックを提供して選択を確定する段階的な構成方法を使用して行われる。
【００２５】
図３を参照すると、ＳＣＰ２００をカスタマイズするとき、好ましくは（１）グラフ１つのみ３１０、（２）上に２つ、下に１つの３つのグラフ３２０、（３）上に１つ、下に２つの３つのグラフ３３０、および（４）上に１つ、下に１つの２つのグラフ３４０など、構成の選択肢がいくつかユーザに与えられることが好ましい。任意の構成で、ユーザは、表示のセクションごとに使用可能な９つのグラフから選択するよう求められる。ユーザは、図４に示すように、所望のグラフをすべて選択すると、今作成したＳＣＰ２００の表示４００の必須フィールドボックス４１０に名前を入力する。
【００２６】
ソフトウェアのデフォルトのデータビューは、図２で前に示したようにソフトウェアのインストール時に自動的に構成された３つのＳＣＰ２００のうちの１つである。３つのデフォルトのＳＣＰは変更したり削除したりすることはできない。ユーザが追加のＳＣＰを作成すると、こうしたＳＣＰは、デフォルトのページに続いてＳＣＰ選択リストに英数字順に列挙される。ユーザがリストから１つのＳＣＰ２００をクリックすると、ソフトウェアは、現在選択されている患者のデータを選択された構成で表示する。ＳＣＰ２００に表示される個々のグラフはそれぞれ、その一意の対話機能のすべてを保持する。
【００２７】
ＳＣＰを印刷するとき、選択したグラフ構成が単一ページに印刷される。
【００２８】
次に、ＳＣＰ２００の作成に使用するプログラミングルーチンについてより詳しく説明する。ＢＤＬａｙｏｕｔ．Ｒｅｐｏｒｔコントロールは、サンプルのセルフケアページレイアウトをユーザに表示するユーザインタフェース表示ウィジェット（widget）を提供する。ＢＤＬａｙｏｕｔ．Ｒｅｐｏｒｔコントロールは、ＢＤＬａｙｏｕｔ．Ｓｅｌｅｃｔｉｏｎコントロールの３つのインスタンスをホストする。
【００２９】
ＢＤＳｅｔｕｐ．Ｒｅｐｏｒｔコントロールは、セルフケアページセットアップ機能のためのユーザインタフェースホストコンテナを提供する。このコントロールは、ＢＤＯｂｊｅｃｔインタフェースを実装する。このインタフェースの実装によって、ナビゲーションフレームワークとのコントロールの対話が制御される。
【００３０】
レポートコントロールは、ＢＤＶｉｅｗＵｔｉｌ．ＸｍｌＴｒａｎｓオブジェクトを使用してビジネスオブジェクト層（ＢＯ）とインタフェースをとる。
【００３１】
レポート構成要素は、ＸＭＬＴｒａｎｓ構成要素（「ＢＤＶｉｅｗＵｔｉｌ．ＸｍｌＴｒａｎｓ」）を使用して、ＢＤＣｕｓｔｏｍＲｅｐｏｒｔビジネスオブジェクトからＲｅｐｏｒｔ情報をフェッチし、戻す。
【００３２】
ＳＣＰを表示するとき、ＢＤＶｉｅｗ．Ｃｏｎｔａｉｎｅｒは、ＢＤ．Ｎａｖｉｇａｔｏｒ構成要素からＳＣＰを表示せよというメッセージを受信し、そのＳＣＰに定義された各グラフ構成要素をアクティブにする。次に、それらに割り当てられている画面のエリア内にグラフ表示が描かれる。
【００３３】
図５Ａ、図５Ｂは、新しいＳＣＰ２００を作成するためのユーザパスを示す。セットアップタブ（Ｓ５１０）から始まり、ユーザは、ＳＣＰ（Ｓ５２０）をクリックし、次いで非デフォルトの既存のＳＣＰを選択する（Ｓ５３０）か、新しいＳＣＰを作成する（Ｓ５４０）かの間で選択を行う。図６にこの表示の画像を示している。ユーザに、グラフの構成またはレイアウトを選択する（Ｓ５５０）選択肢が与えられている。グラフのレイアウトを選択した後、ユーザは、９つの使用可能なグラフのうちのどれを選択したレイアウトで表示するかを選択する（Ｓ５５１）必要がある。グラフの構成および選択を完了した後、ユーザは、ＳＣＰに名前を付ける（Ｓ５５３）必要がある。次いでユーザは、終了したかどうかを尋ねられる（Ｓ５５５）。ユーザは、新しいＳＣＰ２００を作成すると、続いてＳＣＰを追加し、セットアップ画面を終了し、またセットアップ画面のままにし、あるいは今作成したＳＣＰ２００を表示することができる（Ｓ５７０）。
【００３４】
図７Ａ、図７Ｂは、使用可能な任意のＳＣＰを表示するためのユーザステップを示している。ユーザは、ホームぺージからビュータブを選択し（Ｓ７１０）、次いでユーザにいくつかの選択肢が提示される。ＳＣＰを表示するために、ユーザは、ＳＣＰメニュー選択を選択する（Ｓ７２０）。次いでユーザは、デフォルトのＳＣＰのメニューから選択を行うか、フライアウトメニューから以前ユーザが定義したＳＣＰを選択する（Ｓ７３０）。患者を選択し（Ｓ７４０）、日付範囲および対象を変更する（Ｓ７５０）機能は、すべてのビューから使用可能である。
【００３５】
ほとんどのユーザが使用する共通のビューは、血糖値およびインシュリンの標準日データを単一のディスプレイに示すデータ表示である。図８を参照すると、血糖値８１０は、選択した血糖値データが２４時間時計８３０で作図される標準日形式で表示される。血糖値標準日の下には、インシュリン投与標準日グラフ８２０がある。インシュリンデータは、インシュリンのタイプごとの平均インシュリン投与８８０が同じ期間から血糖値のすぐ下に視覚的に表示されるように、同じ２４時間時計８４０を使用して表示されることが好ましい。さらに、カスタムの食事時間８５０が、血糖値部分の上およびインシュリン部分の下に色付きで横棒として図示される。
【００３６】
ディスプレイ８１０の血糖値部分では、ユーザは、血糖値データの２つのビューの間で切り替えを行うことができる。デフォルトのビューでは、血糖値データは、食事時間と就寝時間８６０の平均として表される。さらに、値の範囲は、楕円形で示される平均血糖値の上および下の小さい円で表され、平均の標準偏差は、食事時間および就寝時間ごとに縦長のＩ状のインジケータバーで図示されている。ユーザが平均／ポイントボタン８７０をクリックすることによって第２のビューがトリガされる。図９に示すように、これによって、平均、範囲、および標準偏差ではなく、個々の血糖値９６０が示されるように、血糖値グラフの外観が変わる。
【００３７】
また、ユーザは、凡例ボタン９２０をクリックして、血糖値およびインシュリンの表示のグラフ要素を説明する凡例を表示することもできる。図１０を参照すると、凡例１０１０で、インシュリン投与量の説明１０２０が、ユーザが提供したインシュリンデータに基づいて動的に生成される。つまり、ユーザが１つまたは複数のインシュリンタイプ１０２０を記録している場合、凡例１０１０には、そのユーザにリンクされたこれらのインシュリン１０２０ラベルだけが自動的に表示される。
【００３８】
図８に戻ると、このデータ表示は、糖尿病管理におけるパターン検出のための２つの重要な情報を簡略化して説明している。血糖値８１０データおよびインシュリン８２０データの個々のデータポイントのすべてを示すのではなく、本発明の実施形態では、食事時間および就寝時間の平均を示している。データでのパターンの検出を数字的に助けるのではなく、変動が図示される。また、こうした一意の表示８１０、８２０の並列によって、ユーザは、血糖値８６０とインシュリン投与量８８０の間の頭の中で行う関連付けを容易に行えるようになる。
【００３９】
本発明の好適な実施形態では、血糖値およびインシュリンのグラフの構築を実施するソフトウェアの構成要素は、ＢＤＭｏｄａｌＤａｙ．ｄｌｌという名前のＡｃｔｉｖｅ  Ｘ  Ｆｕｌｌ  Ｃｏｎｔｒｏｌ  ＣＯＭ  ＤＬＬであることが好ましい。そのＰｒｏｇＩｄは、「ＢＤＭｏｄａｌＤａｙ．Ｃｈａｒｔ」でよい。コンテナは、ユーザがメニューの選択によってそれを要求したときにこのグラフをインスタンス化し、どの患者、どの日付範囲、およびどのデータカテゴリ（ＢＤ＿ＧＬＵＣＯＳＥ｜ＢＤ＿ＩＮＳＵＬＩＮ）が要求されたかをそれに伝える。次いでグラフは、適切なデータを取得する。トランザクションオブジェクトが作成され、そのオブジェクトは、データポイントをフェッチし、それらをＸＭＬ（Extensible Markup Language）として戻すことが好ましい。ＸＭＬの使用の選択は、設計選択である。ＳＧＭＬ（Standard Generalized Markup Language）など他のマーク付け言語を含めて任意の適した形式も使用できることを当業者であれば理解されよう。データはさらにまとめられ、メンバ変数に格納される。
【００４０】
ソフトウェアは、図８に示したような表示を作成せよとのメッセージを受信すると、メンバ変数に含まれているデータを調べ、それを使用してディスプレイに表示されるグラフを埋めることが好ましい。
【００４１】
グラフによって、インタフェースＩＤｉｓｐａｔｃｈ、ＩＣｈａｒｔ、およびＩＢＤＯｂｊｅｃｔがそのコンテナに公開される。
【００４２】
血糖値およびインシュリングラフの主な構成要素は、ＢＤＭｏｄａｌＤａｙ．ｄｌｌという名前のＡｃｔｉｖｅ  Ｘ  Ｆｕｌｌ  Ｃｏｎｔｒｏｌ  ＣＯＭ  ＤＬＬであり、Ｃ＋＋プログラミング言語で実装されることが好ましい。ＰｒｏｇＩｄは「ＢＤ．ＭｏｄａｌＤａｙ．Ｃｈａｒｔ」とすることができる。
【００４３】
ＩＣｈａｒｔインタフェースを使用して、標準日グラフコントロールをインスタンス化し、そのプロパティを設定するのが好ましい。プロパティは、標準日コントロールによって、データベースから適切なデータポイントの組をフェッチし、それを特に標準日の表示用に書式設定するために使用される。
【００４４】
図１１Ａ、図１１Ｂは、ユーザがソフトウェアプログラムで「血糖値およびインシュリン」グラフにアクセスするためのステップの例を示している。ユーザは、ホームページ（図１７参照）からビューメニュータブを選択する（Ｓ１１１０）。これによってナビゲーションメニューが提示され、ユーザはそこから血糖値およびインシュリンＳ１１２０タブを選択する。そこから、Ｓ１１３０でドロップダウンメニューから患者を選択する、Ｓ１１４０で日付範囲またはグラフの対象の血糖値範囲を変更する選択肢がユーザに与えられ、また、ユーザは、Ｓ１１５０で凡例を表示したり、Ｓ１１６０で平均ポイントを表示することを選択することによって血糖値グラフを変更することを選択することもできる。
【００４５】
本発明の実施形態は、例えば標準日グラフからトリガされる代替のデータ表示を含むことができる。図１２は、標準日血糖値グラフのビューの例である。標準日血糖値グラフビュー１２１０から代替のデータ表示をトリガするには、ユーザは、このグラフのＸ軸１２３０に沿いにカーソルを置く。カーソルは、好ましくは指示指に変わり、色付き、好ましくは青色の横棒１２２０がＸ軸ラベルとデータ表示の下部との間に表示される。Ｘ軸１２３０は、２４時間を表示することが好ましい。横棒１２２０の幅は、Ｘ軸ラベルの幅に基づいて３時間区分を表すことが好ましい。
【００４６】
カーソルがこの状態で、青色の棒が表示されている間にユーザがマウスをクリックすると、図１３に示した画像が表示され、小さいウィンドウ１３１０、つまり３時間データビューが円グラフ１３２０で表示される。このデータは、選択した３時間１３３０に基づいている。円グラフ１３２０は、選択した３時間１３３０以内で表示された患者の対象の範囲の組を超える、範囲内の、および範囲を下回る血糖値のパーセント１３４０を示す。円グラフ１３２０は、表された時間の範囲１３３０、および選択された患者の血糖値対象範囲１３５０でラベル付けされる。３時間データビュー１３１０の基となるのは、標準日血糖値グラフ１３００である。
【００４７】
標準日グラフ１３００は、他のどのデータ表示より患者が解釈するのがより難しいため、本発明は、標準日グラフ１３００で表示されるデータの一部をサンプリングして、円グラフ１３２０など、このデータのサンプルのより一般的なビューを提供するための手段を提供する。
【００４８】
図１４は、３時間データビューウィンドウのデータがどのように判定されるかを概説している。ステップＳ１４１０で、ユーザはビューを選択する。ステップＳ１４２０で、ソフトウェアルーチンは、選択したデータカテゴリとして血糖値で標準日グラフをアクティブにする。ソフトウェアはさらに、患者および日付範囲のプロパティを設定する。ソフトウェアは、ステップＳ１４３０でグラフ作成プログラムをインスタンス化し、データを要求する。データは、メンバ変数に提供され、格納される。次いでステップＳ１４２０で標準日グラフをアクティブにしたソフトウェアルーチンにメッセージが送信される。ステップＳ１４３０のメッセージを受信すると、ソフトウェアルーチンは、標準日グラフの表示を制御するソフトウェアルーチンにメッセージを送信する。メッセージは、ソフトウェアルーチンに、標準日グラフ１３００の表示を開始するよう伝える。ステップ１４５０で、標準日グラフ１３００が表示され、ソフトウェアはユーザからの入力を待つ。ユーザは、ステップＳ１４６０に示すように、任意の３時間刻みの上でマウスを動かすことができる。３時間は、ステップＳ１４７０で、グラフの下部ゾーン内でユーザがマウスをクリックする位置によって判定される。マウスクリックは時間の中間に行われるものと解釈される。標準日の時間ごとに、対象範囲を下回る、対象範囲内、および対象範囲を上回る読み取り値の数字、好ましくはマークされてないデータポイントのみの合計が保持されている。合計は、３時間での範囲を下回る読み取り値、３時間での範囲内の読み取り値、および３時間での範囲を上回る読み取り値の累計から成る。次いで３時間でのすべての読み取り値の総計が形成される。対象を下回る読み取り値の割合は、３時間での対象を下回る読み取り値の数字を総計で割ることによって計算される。対象内および対象を上回る読み取り値のパーセントも同様に計算される。このデータは、次いで３時間データビュー１３１０の円グラフに提示されることが好ましい。
【００４９】
しかし、Ｓ１４７０でマウスクリックがあると、Ｓ１４７５で標準日グラフ−血糖値におけるデータポイントのグループ分けでマウスクリックが行われたかどうかを判定する必要がある。マウスクリックが行われた場合、ステップＳ１４７７で、マウスクリックＳ１４７０が単一のデータポイントで行われたかどうかを判定する必要がある。ステップＳ１４７７でマウスクリックＳ１４７０が単一のデータポイントで行われたことが判定されると、選択されたポイントのいずれかの側にあるデータポイントが検出され、ズームデータリンクポップアップウィンドウ（図示せず）に表示される。また、示したすべてのデータポイントのインシュリン値も示される。ステップＳ１４７７で、マウスクリックＳ１４７０が複数のデータポイント上で行われたことが判定された場合、クリックされたポイントの近くのデータポイントがポップアップウィンドウ（図示せず）に表示され、ユーザは、ズームデータリンクポップアップウィンドウを作成するための特定のデータポイントを選択するように求められる。
【００５０】
図１３に戻って右上隅の×１３６０をクリックすると、ポップアップウィンドウ１３１０が閉じる。ユーザが異なるタイプのグラフをメニュー１３７０から選択した場合、または患者１３８０または日付範囲１３９０を変更した場合、ポップアップウィンドウ１３１０が消える。
【００５１】
次に、３時間データビュー１３１０の円グラフを作成するソフトウェア構成要素について詳述する。３時間データビュー１３１０の円グラフウィンドウは、ＢＤＰｉｅ構成要素のＣｈａｒｔオブジェクトに統合されるＡＴＬ  ＣＯＭダイアログボックスウィンドウとして実装されることが好ましい。これは、それ自体のクラス、ＣＭＤＰｉｅＰｏｐｕｐにラップされる。このクラスは、ダイアログボックスのデフォルトの挙動を有するようにテンプレート、ＣＤｉａｌｏｇｈＩｍｐｌを使用する。３時間データビューウィンドウ１３１０の円グラフは、モードレスダイアログボックスとして作成される。このウィンドウには、ウィンドウを閉じるための唯一のアクティブボタン、右上隅の×がある。ＣＭＤＰｉｅＰｏｐｕｐクラスの１つのインスタンスが標準日グラフ１３００に組み込まれる。
【００５２】
ＣＭＤＰｉｅＰｏｐｕｐクラスは、ＣｚｏｏｍＤａｔａＬｉｎｋクラスが格納側Ｃｈａｒｔクラスに関連付けられるのとまったく同じように、格納側Ｃｈａｒｔクラスに関連付けられる。
【００５３】
ダウンロードされた測定済みのデータが確実にデータベース内の患者に適切に帰属しているようにするために、各血糖値測定器３０のシリアル番号が特定の患者に割り当てられる。さらに、測定されたデータがコンピュータにダウンロードされると、特定の測定値に、好ましくは一意の測定器識別子を含むタグが与えられ、そのためすべての測定の単一の測定器への帰属が可能となる。ユーザが血糖値測定器からソフトウェアにデータをダウンロードすると、測定器の一意のシリアル番号は、ストリームの一部として送信される。このシリアル番号は、測定器の下部に印刷される。ソフトウェアが一意のシリアル番号を、以前ダウンロードされ、患者に割り当てられたものと認識しない場合、図１５Ａ、図１５Ｂに示した画像がユーザに表示される。
【００５４】
図１５Ａに示した測定器ページでは、１５１０で患者のユーザを名前で選択するか、測定器をシリアル番号で選択するかを選択するようユーザに要求する。その後、その測定器のデータがダウンロードされると、そのデータが自動的にデータベースに格納され、以前選択された患者に割り当てられる。割り当てを行う人物には、測定器のインシュリンラベルを入力する選択肢１５２０も与えられている。これによって特定の患者に注入されたいくつかのタイプのインシュリンを測定器が監視できるようになることが好ましい。
【００５５】
ソフトウェアによって、任意の数の測定器を単一の患者に割り当てることができる。ユーザが測定器を患者から割り当て解除したい、または割り当て解除する必要があるときに、（１）最初のダウンロードで、ユーザは既存の患者を間違えて選択した、または（２）その測定器はある患者によってもはや使用されておらず、その測定器に別の患者が割り当てられて使用するという少なくとも２つのシナリオが存在する。いずれかのシナリオで、特定の患者から測定器を割り当て解除する必要がある。これは、医療的観点から、所与の患者について、その患者に帰属していないデータに基づいて医療判断を行うことができるという点で重要である。図１５Ｂは、ユーザが割り当てを削除することを選択したときにユーザに提示されることが好適な表示画面の画像を示している。
【００５６】
本発明の実施形態は、この割り当て解除タスクを行う手段を提供する。図１６Ａ、図１６Ｂは、ユーザが割り当て解除タスクを行うのに必要なステップを示すフロー図である。Ｓ１６１０で測定器タブを選択することで開始し、マネージャ項目をクリックする選択肢Ｓ１６１５を含むナビゲーションメニューがユーザに提示される。マネージャの選択肢を選択した後、ユーザに図１５Ａのビューが提示される。ここでユーザは、Ｓ１６２０で測定器および患者割り当てフォーム、または測定器のインシュリンラベルフォームの間で選択を行うことが好ましい。患者と測定器の間のリンクを削除するには、ユーザはＳ１６３０で、Ｓ１６３３で患者を名前で選択するか、Ｓ１６３７で測定器をシリアル番号で選択するかのいずれかを選択する必要がある。Ｓ１６３３で患者を名前で選択することを選択すると、システム内の現在の患者のリストを含むドロップダウンリストがアクティブになる。ユーザがリストから名前を選択すると、その患者に現在割り当てられているすべての測定器が表示エリアに表示される。Ｓ１６３７でシリアル番号で測定器を選択することを選択すると、システム内の現在の測定器のシリアル番号のリストを含むドロップダウンリストがアクティブになる。測定器と患者のペアリングが完了すると、Ｓ１６４０で割り当てを削除するか、何もしないかの選択肢がユーザに与えられる。ユーザが測定器のシリアル番号をリストから選択すると、その測定器が割り当てられている患者が表示エリアに表示される。いずれの場合でも、ユーザは次いで表示エリア内の適切な項目上をクリックし、割り当て削除ボタン１５３０をクリックすることができる。ユーザは、図１５Ｂに例示したこの選択による影響に関する指示メッセージを受信し、ＹｅｓまたはＮｏのいずれかを選択することができる。Ｙｅｓを選択すると、割り当てが削除され、その測定器から受信した任意のデータはもはや使用できなくなる。Ｎｏを選択すると、その画面に戻り、アクションは何も起こらない。
【００５７】
次に、ソフトウェアの構成要素についてより詳しく説明する。測定器マネージャは、構成要素指向のアーキテクチャに従っており、Ｍｉｃｒｏｓｏｆｔ「ＡｃｔｉｖｅＸ」標準を利用し、構成要素をソフトウェアのフレームワーク／シェルにプラグ接続できるように、標準ソフトウェアインタフェースを実装している。これは、ＸＭＬトランザクションを介してデータベースオブジェクトと通信する。測定器および患者の割り当てについてのデータベースの更新は、データベース内のテーブルのマッピングを介して達成される。これによってデータベースが非常に迅速に更新され、データセットのサイズの増加とともにパフォーマンスが低下することなく、大きいデータセットにわたる患者の割り当ておよび再割り当てを迅速に行うことができる。
【００５８】
ソフトウェアアプリケーションの共通の問題は、ユーザが達成したいタスクを実行する機能およびコマンドを見つけたり、理解したりすることができないことである。次に説明する本発明の一実施形態は、この問題に取り組む。この問題を解決するために、ソフトウェアを起動させるとユーザに表示される最初のページでこれらの種類のプログラムを使用可能にし、１つのボタンをクリックすることによって実行できるようにすることが不可欠である。これは、（１）測定器のダウンロードを実行する、（２）データの表示を構成する、（３）構成された表示をプリンタに送信するという個々のプロセスを一続きで実行することによって達成される。
【００５９】
図１７に示すように、ホームページ１７０５の特徴は、ＨＴＭＬ（Hyper Text Markup Language）を使用してホームページ機能を提供することが好ましい。本発明の実施形態のホームページ１７０５は、測定器のダウンロードおよび印刷１７１０、測定器のダウンロードおよび画面レビュー１７２０、方法の習得１７３０、ヘルプ１７４０、およびＢＤのＷｅｂサイトへ１７５０をクリックする選択肢があることが好ましい。しかし、一般的に使用される任意の特徴を一度のクリック操作で実施することができる。ＨＴＭＬドキュメント「ｈｏｍｅ．ｈｔｍｌ」は、レジストリキー値によって示されるソフトウェアの画像ディレクトリの下に格納される。画像レジストリキーの値、および「ｈｏｍｅ．ｈｔｍｌ」の内容は、インストール時に設定される。「ｈｏｍｅ．ｈｔｍｌ」の内容は、いくつかのＤＩＶタグを定義する。これらのタグは、ＢＤＨｏｍｅ．ＭａｉｎＰａｇｅ構成要素を介してソフトウェアにリンクされる。タグは「ｄｏｗｎｌｏａｄｐｒｉｎｔ」を含む。このタグがクリックされると、「ｏｎｃｌｉｃｋ」イベントがＢＤＨｏｍｅ．ＭａｉｎＰａｇｅ構成要素に向けて発信される。ＢＤＨｏｍｅ．ＭａｉｎＰａｇｅ構成要素は、ＢＤＯｂｊｅｃｔ操作コードを使用してダウンロードおよび印刷機能を提供する。
【００６０】
以下は、患者がどのように測定器を接続し、測定器からダウンロードされたデータを使用して報告書を生成できるかを説明する。図１８Ａ、図１８Ｂは、Ｓ１８１０でホームページからの測定器のダウンロードおよび印刷をクリックするステップを示している。次いでソフトウェアは、ダウンロードプロセスを自動的に開始する。これは、Ｓ１８２０でデータ転送ケーブルがＰＣに接続されているかどうかをチェックすることによって開始する。Ｓ１８３０で接続後、ソフトウェアは、Ｓ１８４０でケーブルに接続されている測定器の識別を開始する。測定器を識別した後、Ｓ１８５０でソフトウェアは次いで測定器および患者が互いに割り当てられていることを確認する。装置の検証が確認されると、Ｓ１８６０で血糖値データがダウンロードされる。血糖値がダウンロードされた後、Ｓ１８７０でインシュリンデータがダウンロードされる。血糖値およびインシュリンデータがダウンロードされると、Ｓ１８８０で、ソフトウェアはデータベースを更新し、そのユーザの報告書が印刷される。
【００６１】
印刷された報告書は、上述したデフォルトの報告書、またはユーザカスタマイズされたＳＣＰとすることができる。いずれも上で詳述している。
【００６２】
健康管理の専門家は、複数の患者の複数の報告書を印刷することができなければならないことが多い。図１９Ａを参照すると、ソフトウェアでのこの一括印刷機能によって、ユーザは、使用可能な報告書のリスト１９３３から印刷する報告書を選択する、使用可能なセルフケアページのリスト１９３７からセルフケアページ（カスタム、ユーザ定義済み報告書）を選択する、データを印刷する患者１９３０を選択する、印刷するデータの日付範囲１９３５を選択する、または図１９Ｂに示すように、印刷するデータの血糖値対象範囲１９４０を設定するなど、マイプリントアウトページ１９１０のいくつかの選択肢から選択を行うことができる。
【００６３】
さらに、ユーザはヘルプシステムにアクセスし、報告書を送信するプリンタを選択およびセットアップし、印刷を実行し、または一括印刷機能を終了することができる。
【００６４】
図１９Ａに示すように、ユーザは、１つまたは複数のセルフケアページ１９３７を選択し、［Ａｄｄ＞＞＞］ボタン１９６０をクリックすると、選択されたページを選択済みプリントアウトペイン１９２０に移動させることができる。ユーザは、１つまたは複数の他の報告書１９３３を選択し、［Ａｄｄ＞＞＞］ボタン１９６０をクリックすると、選択された報告書を選択済みプリントアウトペイン１９２０に移動させることができる。ページおよび報告書が選択済みプリントアウトペイン１９２０に追加されるので、リストが大きくなる。ユーザは、１つまたは複数のプリントアウトを選択し、［＜＜＜Ｒｅｍｏｖｅ］ボタン１９６５をクリックすると、選択済みプリントアウトペイン１９２０からそれらを削除することができる。
【００６５】
ユーザは、ドロップダウンリストを介して使用可能な患者１９３０のリストから選択を行うことができる。また、ユーザは、日付範囲ハイパーリンク１９３５をクリックして、日付範囲選択ツールおよび血糖値対象セットアップ（図１９Ｂ、１９４０参照）にアクセスすることができる。日付範囲が変更されたか、血糖値の対象が変更されると、これらの設定は、選択された患者のプリントアウトに適用される。
【００６６】
図２０Ａ、２０Ｂ、２０Ｃは、本発明の一実施形態による報告書を印刷するための印刷ウィンドウをナビゲートするステップを示すフロー図である。
【００６７】
ホームページ１７０５から、ユーザはＳ２０１０で印刷タブを選択する。次いでフライアウトメニューにマイプリントアウトの選択肢が提供され、Ｓ２０２０でユーザがそれを選択する。次いで、Ｓ２０３０で患者を選択する、Ｓ２０４０で日付または対象血糖値測定値を選択する、Ｓ２０５０でどのＳＣＰか、およびＳ２０６０で印刷する正確な報告書を選択するいくつかの選択肢がユーザに与えられる。これによってユーザにとっては、ソフトウェアの報告機能をカスタマイズするための柔軟性が向上する。さらに、健康管理プロバイダは、今では患者ごとにまさに同じ報告書を入手でき、ソフトウェアは異なるメーカーの血糖値測定器との互換性があるため、患者ごとに異なるいくつかの報告書を分析する必要性が低減する。さらに、健康管理プロバイダは、血糖値測定器から健康管理プロバイダのＰＣにデータをダウンロードするだけで印刷したい報告書を選択できるため、患者は健康管理プロバイダに持って行くべき報告書を必ずしも思い出す必要はない。
【００６８】
次にソフトウェアの詳細についてより詳しく説明する。ＢＤＶｉｅｗ．Ｃｏｎｔａｉｎｅｒが、Ａｂａｃｕｓでのアクティビティを印刷するための開始点であることが好ましい。報告書を印刷するコマンドが要求されると、ナビゲータは、印刷ジョブのＢＤＶｉｅｗ．Ｃｏｎｔａｉｎｅｒにメッセージを送信する。ＢＤＶｉｅｗ．Ｃｏｎｔａｉｎｅｒは、印刷すべき特定のグラフまたは図に関する情報を保持する。それがグラフである場合、ＢＤＶｉｅｗ．Ｃｏｎｔａｉｎｅｒは、その情報をＸＭＬにパッケージ化し、それをＢＤＶｉｅｗ．ＣＰｒｉｎｔＤｒｉｖｅｒに渡す。このクラスは、グラフのヘッダーおよびフッターを印刷し、プリンタのＨＤＣを適切なグラフ構成要素に渡し、次いでＨＤＣの描画面にグラフが描かれる。次いでＣｐｒｉｎｔＤｒｉｖｅｒは、実際のページを印刷する。
【００６９】
このコントロールは、ＢＤＯｂｊｅｃｔインタフェースを実装する。このインタフェースの実装は、ナビゲーションフレームワークとのコントロールの対話を制御する。ＢＤＶｉｅｗ．Ｃｏｎｔａｉｎｅｒは、以下のＢＤＯｂｊｅｃｔ操作コードを使用してシステム機能を提供する。
【００７０】
ＢＤＯＰ＿ＩＮＩＴ  一括印刷ではない場合、新しいＣＰａｔｉｅｎｔＩｎｆｏインスタンスを開始する
ＢＤＯＰ＿ＳＴＯＰ  ロードされた各コントロールに向けてＢＤＯＰ＿ＳＴＯＰ、ＢＤＯＰ＿ＴＥＲＭを発信して、それらをアンロードする
ＢＤＯＰ＿ＴＥＲＭ  グローバルインタフェースをリリースする
ＢＤＯＰ＿ＳＥＴＰＡＴＩＥＮＴ  Ｄｅｆａｕｌｔ  Ｐａｔｉｅｎｔ  Ｉｎｆｏを設定する
ＢＤＯＰ＿ＰＲＥＳＨＯＷ  表示のセットアップを行い、報告書を開始する
ＢＤＯＰ＿ＰＯＳＴＳＨＯＷ  画面上に報告書クライアントを配置する
ＢＤＯＰ＿ＰＲＥＨＩＤＥ  ヘッダーを非表示にする
ＢＤＯＰ＿ＰＯＳＴＨＩＤＥ  報告書を閉じる
ＢＤＯＰ＿ＳＴＡＲＴＰＲＩＮＴ  現在のコントロールをセットアップして印刷する
ＢＤＯＰ＿ＳＥＴＤＡＴＡ  新しい患者を現在表示されているオブジェクトまたはバッチされた要求オブジェクトに設定する
ＢＤＯＰ＿ＰＲＩＮＴ  現在表示されているオブジェクトまたはバッチされた要求オブジェクトを印刷するようにセットアップする
ＢＤＯＰ＿ＥＮＤＰＲＩＮＴ  印刷要求後クリーンアップする
ＢＤＶｉｅｗ．ＣＰｒｉｎｔＤｒｉｖｅｒクラスは、ビュー報告書の生成を制御する。コントロールは、ヘッダーおよびフッター情報を書式設定し、グラフ構成要素に対して四角形を定義し、適切なグラフ構成要素を呼び出して出力を指定された四角内に描く。グラフ構成要素によってその出力が描かれた後、ＢＤＶｉｅｗ．ＣＰｒｉｎｔＤｒｉｖｅｒはそのページを出力する。
【００７１】
ＢＤＶｉｅｗ．ｄｌｇＢａｔｃｈＰｒｉｎｔダイアログは、ユーザインタフェースを提供し、それによってユーザは、１組の報告書を一括印刷要求に指定することができる。
【００７２】
ＢＤＶｉｅｗ．ｄｌｇＢａｔｃｈＰｒｉｎｔ構成要素は、ＸＭＬＴｒａｎｓ構成要素（「ＢＤＶｉｅｗＵｔｉｌ．ＸｍｌＴｒａｎｓ」）を使用して、ＢＤＣｕｓｔｏｍＲｅｐｏｒｔビジネスオブジェクトから報告書情報をフェッチする。以下のトランザクションは、ＢＤＣｕｓｔｏｍＲｅｐｏｒｔビジネスオブジェクトから報告データを例挙するために使用する。
【００７３】
【表１】
2005025747.tif 000003
【００７４】
本発明の別の実施形態は、ソフトウェアに組み込まれ、中でも、特に２つのタスクをどのように行うかについてユーザに教えるように設計されている対話式チュートリアルを含むことができることが好ましい。２つのタスクとは、１つには、９ピンシリアルケーブルまたはＵＳＢケーブルを使用して血糖値測定器をコンピュータに接続する方法である。第２に、カスタマイズされたセルフケアページを作成してそれを使用する方法である。
【００７５】
図１７に戻ると、チュートリアルは、ソフトウェアのホームページ１７０５から使用可能であることが好ましい。ホームページ１７０５は、マウスを上に置くと「測定器をＰＣに接続する」および「セルフケアページを作成する」という使用可能なチュートリアルが列挙されるフライアウトメニューを表示する「方法の習得」ボタン１７３０を含む。ユーザは、これらの項目のいずれかをクリックすると、選択された対話式チュートリアルが実行される新しいウィンドウが起動する。
【００７６】
各チュートリアルによって、記載された機能の実行に関与する特定のステップがユーザに案内される。ユーザはいつでも次へまたは戻るボタン、または再開ボタンをクリックして、チュートリアルをナビゲートすることができる。
【００７７】
チュートリアルを終了するには、ユーザは、チュートリアルウィンドウの右上の×ボタンをクリックすることが好ましい。
【００７８】
図２１は、チュートリアルへのホームページリンクのナビゲーションを示すフロー図である。ユーザは、ホームページＳ２１１０で開始し、Ｓ２１２０で「方法の習得」をクリックする。ユーザは、測定器をＰＣに接続するチュートリアルＳ２１３１と、セルフケアページを作成するチュートリアルＳ２１３７との間で選択を行う必要がある。ユーザが測定器をＰＣに接続する方法を選択すると、ブラウザは、Ｓ２１４１で、測定器をＰＣに接続することを教えるチュートリアルのファイル、好ましくはマクロメディアフラッシュファイルを起動する。次いでＳ２１５１で自己完結型動画を実行し、測定器をＰＣに接続する方法を教える。
【００７９】
しかし、ユーザがホームページＳ２１１０からＳ２１３７のＳＣＰを作成することを選択した場合、ブラウザは、Ｓ２１４７でＳＣＰを作成する方法を教えるチュートリアルのファイル、好ましくはフラッシュファイルを起動する。次いでＳ２１５７で自己完結型動画が実行されて、ＳＣＰを作成するステップを説明する。チュートリアルプロセス中、ユーザは、チュートリアルを中断し、今学んだステップを実行し、中断したチュートリアルの時点に戻る。これによってユーザは、チュートリアルでどこまで進んだかわからなくなったり、チュートリアルを一からやり直すことを心配する必要なく段階的にチュートリアルステップに従うことができる。
【００８０】
こうした対話式チュートリアルは、動画とともに簡単かつ段階的な指示を提供する。ユーザは、ソフトウェアを起動させた後に表示される最初の画面からこれらのチュートリアルにアクセスすることができる。さらにユーザは、チュートリアルが稼働している間に引き続きソフトウェアを使用することができ、これによってユーザは、背後でチュートリアルが稼働している間にチュートリアルで説明されたステップを実行することができる。
【００８１】
チュートリアルは、マクロメディアフラッシュ動画として実行されることが好ましく、したがって、小さい、制御されたＷｅｂブラウザウィンドウで起動される。次に、チュートリアルの選択に関与するステップについて、特に関与するソフトウェアルーチンに関してより詳しく説明する。
【００８２】
ホームページは、ＨＴＭＬを使用する基本的なＷｅｂページとして実装されるので、マウスを上に置いたり、マウスでクリックするアクションは、ボタン／機能ごとにページ言語で定義されることが好ましい。ユーザがカーソルを「方法の習得」ボタンの上に移動させると、ＨＴＭＬは、画像変更およびフライアウトメニューの表示をトリガする。フライアウトメニューの各項目の上にマウスを置くことができ、それらに対する画像の変更もトリガされる。
【００８３】
フライアウトメニュー項目のうちの１つをクリックすると、イベントはトリガされて、これによって特定のピクセル高さおよび幅のＷｅｂブラウザコントロールのインスタンスが起動し、ここでブラウザは表示を制御する。このブラウザインスタンスの代わりに、マクロメディアフラッシュファイルが実行される。インストールがユーザのＰＣに現在のバージョンのプレーヤがないことを検出すると、マクロメディアフラッシュプレーヤがソフトウェアインストール時にインストールされる。
【００８４】
一括印刷に関して、本発明で提供された解決策は、ソフトウェア内の他の場所に存在するソフトウェアの構成要素を一般の一括印刷機能と結合することによって達成される。さらに、同じ患者選択機構および同じ日付範囲およびソフトウェアの残りに存在する血糖値対象機構がユーザに提示される。これによって印刷する報告書の選択がさらに簡単になる。最終的に、画面上での表示なしに印刷された報告書のみを望むユーザは、この機能を使用して、１つの機能的ウィンドウから各患者に一意の日付範囲および血糖値対象を選択する柔軟性を保ちながら多数の患者の報告書を印刷することができる。
【００８５】
本発明の上記の説明は、例示的な特徴であり、本発明を限定するためのものではない。上記の特徴は、単一のソフトウェアパッケージに結合する、または個々に使用できるようにする、または健康管理プロバイダなど限定されたユーザのみが使用できるようにすることができる。さらに、ソフトウェアは、データ転送ケーブルなどハードウェア製品とともにパッケージ化することができる。さらに本発明は、血糖値測定器での使用のみに限定されるものではなく、本発明の実施形態の同じ機能を他の装置が必要とし得ることは、当業者であれば明らかであろう。
【図面の簡単な説明】
【００８６】
【図１】データが本発明の一実施形態により管理されるシステムの構成例を示す図である。
【図２】本発明の一実施形態により作成されたセルフケアページ例を示す図である。
【図３】本発明の一実施形態によるセルフケアページを作成するときに新規作成操作の結果得られる表示例を示す図である。
【図４】本発明の一実施形態によるセルフケアページを作成するときにＳＣＰ名の入力操作の結果得られる表示例を示す図である。
【図５Ａ】本発明の一実施形態による図１のセルフケアページ例をユーザがどのように作成するかを示すフロー図である。
【図５Ｂ】本発明の一実施形態による図１のセルフケアページ例をユーザがどのように作成するかを示すフロー図である。
【図６】本発明の一実施形態による他のセルフケアページを選択するためのドロップダウンメニューを備えるデフォルトのセルフケアページのビューの例を示す図である。
【図７Ａ】本発明の一実施形態によるセルフケアページをユーザが表示するステップを示すフロー図である。
【図７Ｂ】本発明の一実施形態によるセルフケアページをユーザが表示するステップを示すフロー図である。
【図８】本発明の一実施形態による、単一のディスプレイにおける血糖値標準日およびインシュリン標準日のデフォルトのビューの例を示す図である。
【図９】本発明の一実施形態による、単一のディスプレイにおける血糖値標準日およびインシュリン標準日の血糖値データポイントのビューの例を示す図である。
【図１０】本発明の一実施形態による、単一のディスプレイにおける動的凡例ウィンドウ例を備える血糖値標準日およびインシュリン標準日のビューの例を示す図である。
【図１１Ａ】本発明の一実施形態による血糖値およびインシュリングラフをユーザが表示するステップを示すフロー図である。
【図１１Ｂ】本発明の一実施形態による血糖値およびインシュリングラフをユーザが表示するステップを示すフロー図である。
【図１２】本発明の一実施形態による円グラフウィンドウをそこから表示する標準日−血糖値表示のビューの例を示す図である。
【図１３】本発明の一実施形態による円グラフウィンドウの画像例を示す図である。
【図１４】本発明の一実施形態による標準日−血糖値表示から円グラフを作成する際のステップを示すフロー図である。
【図１５Ａ】本発明の一実施形態による医療装置の患者への割り当てを分割する測定器マネージャ機能の画像例を示す図である。
【図１５Ｂ】本発明の一実施形態による、割り当て解除要求を確認し、測定器が未割り当てになったときに結果を示す、ユーザに示される測定器マネージャメッセージの画像例を示す図である。
【図１６Ａ】本発明の一実施形態による医療装置のユーザから医療装置の割り当てを削除する際のステップを示すフロー図である。
【図１６Ｂ】本発明の一実施形態による医療装置のユーザから医療装置の割り当てを削除する際のステップを示すフロー図である。
【図１７】本発明の一実施形態によるワンクリックダウンロードおよび記録機能を備えるホームページの画像例を示す図である。
【図１８Ａ】本発明の一実施形態による医療装置からデータをダウンロードし、印刷するステップを示すフロー図である。
【図１８Ｂ】本発明の一実施形態による医療装置からデータをダウンロードし、印刷するステップを示すフロー図である。
【図１９Ａ】本発明の一実施形態による一括プリントアウトウィンドウの画像例を示す図である。
【図１９Ｂ】本発明の一実施形態によるユーザが特定の機能を選択するときの一括プリントアウトの画像例を示す図である。
【図２０Ａ】本発明の一実施形態による報告書を印刷するための印刷ウィンドウをナビゲートするステップを示すフロー図である。
【図２０Ｂ】本発明の一実施形態による報告書を印刷するための印刷ウィンドウをナビゲートするステップを示すフロー図である。
【図２０Ｃ】本発明の一実施形態による報告書を印刷するための印刷ウィンドウをナビゲートするステップを示すフロー図である。
【図２１】本発明の一実施形態による選択により対話式チュートリアルへのナビゲーションを示すフロー図である。
【符号の説明】
【００８７】
２００  セルフケアページ（ＳＣＰ）
２１０  円グラフ
２２０  ヒストグラム
２３０  血糖読み取り値の傾向グラフ
２４０  サンプル、患者
【図１】
2005025747.tif 000004
【図２】
2005025747.tif 000005
【図３】
2005025747.tif 000006
【図４】
2005025747.tif 000007
【図５Ａ】
2005025747.tif 000008
【図５Ｂ】
2005025747.tif 000009
【図６】
2005025747.tif 000010
【図７Ａ】
2005025747.tif 000011
【図７Ｂ】
2005025747.tif 000012
【図８】
2005025747.tif 000013
【図９】
2005025747.tif 000014
【図１０】
2005025747.tif 000015
【図１１Ａ】
2005025747.tif 000016
【図１１Ｂ】
2005025747.tif 000017
【図１２】
2005025747.tif 000018
【図１３】
2005025747.tif 000019
【図１４】
2005025747.tif 000020
【図１５Ａ】
2005025747.tif 000021
【図１５Ｂ】
2005025747.tif 000022
【図１６Ａ】
2005025747.tif 000023
【図１６Ｂ】
2005025747.tif 000024
【図１７】
2005025747.tif 000025
【図１８Ａ】
2005025747.tif 000026
【図１８Ｂ】
2005025747.tif 000027
【図１９Ａ】
2005025747.tif 000028
【図１９Ｂ】
2005025747.tif 000029
【図２０Ａ】
2005025747.tif 000030
【図２０Ｂ】
2005025747.tif 000031
【図２０Ｃ】
2005025747.tif 000032
【図２１】
2005025747.tif 000033
【外国語明細書】
2005025747000001.pdf